(57)【要約】      （修正有）【課題】安全性の高いレバー構造を有するリミットスイッチを提供する。【解決手段】レバー構造を有する電気接続スイッチユニットは、ダブルエネルギー貯蔵リード片と固定ウエハからなり、固定リード片１と可動リード片２の一端は間隔を空けて設置され、他端は固定して接続され、可動リード片の両側にそれぞれエネルギー貯蔵リード片が設けられ、エネルギー貯蔵リード片の一端は本体に接続され、他端には開放端部が設けられ、固定リード片の両側にそれぞれエネルギー貯蔵リード片の位置決めフックが設けられ、エネルギー貯蔵リード片の開放端部はエネルギー貯蔵リード片の位置決めフックに嵌合するように配置され、可動リード片に可動接点２０が設けられ、固定ウエハに固定接点８０が設けられ、固定リード片に可動接点位置決めブロックが設けられ、可動接点の上部は固定接点に対応して接続され、可動接点の下部は可動接点位置決めブロックに対応して設置される。【選択図】図１
2019192627.tif 000002
【特許請求の範囲】
【請求項１】
安全性の高いレバー構造を有するリミットスイッチであって、
ストローク調整装置、伝動装置、レバー構造を有する電気接続スイッチユニットと、絶縁ユニット及びリベット固定ユニットが対応して接続されてなるリミットスイッチとを含み、
前記レバー構造を有する電気接続スイッチユニットは、ダブルエネルギー貯蔵リード片と固定ウエハ（８）からなり、前記ダブルエネルギー貯蔵リード片は、固定リード片（１）と可動リード片（２）を含み、前記固定リード片（１）と可動リード片（２）の一端は間隔を空けて設置され、前記固定リード片（１）と可動リード片（２）の他端は固定して接続され、前記可動リード片（２）の両側にそれぞれエネルギー貯蔵リード片（２２）が設けられ、前記エネルギー貯蔵リード片（２２）の一端は本体に接続され、前記エネルギー貯蔵リード片（２２）の他端には開放端部が設けられ、前記固定リード片（１）の両側にそれぞれエネルギー貯蔵リード片の位置決めフック（１２）が設けられ、前記エネルギー貯蔵リード片（２２）の開放端部はエネルギー貯蔵リード片の位置決めフック（１２）に嵌合するように設置され、前記可動リード片（２）に可動接点（２０）が設けられ、前記固定ウエハ（８）に固定接点（８０）が設けられ、前記固定リード片（１）に可動接点位置決めブロック（１５）が設けられ、前記可動接点（２０）の上部は固定接点（８０）に対応して接続され、前記可動接点（２０）の下部は可動接点位置決めブロック（１５）に対応して設置されることを特徴とするリミットスイッチ。
【請求項２】
前記固定リード片（１）に固定リード片溶接プラットフォーム（１３）が設けられ、前記可動リード片（２）に可動リード片溶接平面（２３）が設けられ、前記固定リード片溶接プラットフォーム（１３）と可動リード片溶接平面（２３）は固定して溶接され、前記固定リード片溶接プラットフォーム（１３）に第１位置決め孔（１４）が設けられ、前記可動リード片溶接平面（２３）に第２位置決め孔（２４）が設けられ、前記第１位置決め孔（１４）と第２位置決め孔（２４）は対応して設置されることを特徴とする請求項１に記載の安全性の高いレバー構造を有するリミットスイッチ。
【請求項３】
前記固定リード片（１）の両側にそれぞれ第１リブ（１８）が設けられ、前記固定リード片（１）の末端に位置決め切り欠き（１１）が設けられ、前記可動リード片（２）の両側にそれぞれ第２リブ（２８）が設けられ、前記可動リード片（２）の一端の端部に位置決め凸片（２１）が設けられ、前記可動リード片（２）の位置決め凸片（２１）と固定リード片（１）の位置決め切り欠き（１１）は対応して設置されることを特徴とする請求項１に記載の安全性の高いレバー構造を有するリミットスイッチ。
【請求項４】
前記固定リード片（１）と固定ウエハ（８）はそれぞれリミットスイッチの絶縁ユニットに固定され、前記固定リード片（１）の一端は、中空リベット固定孔（１０）が設けられ、且つ中空リベット固定孔（１０）により絶縁ユニットに固定され、且つ接続端子（５０）が接続され、前記接続端子（５０）は電源に外付けされ、前記中空リベット固定孔（１０）の周辺に複数の滑り止め突起点（１６）が均等に設けられることを特徴とする請求項１に記載の安全性の高いレバー構造を有するリミットスイッチ。
【請求項５】
前記可動リード片（２）に、リミットスイッチのストローク調整装置に対応して設置された位置決め柱固定凹部（２６）が設けられ、前記ストローク調整装置は、押え板（３）、アジャストスクリュー（５）及び位置決め柱（６）を含み、前記位置決め柱（６）の底部に、位置決め柱固定凹部（２６）に嵌合して設けられる円錐形突起が設けられ、前記位置決め柱（６）の頂部がアジャストスクリュー（５）の底部に当接され、前記アジャストスクリュー（５）が押え板（３）の一端に螺合され、前記押え板（３）の他端が絶縁ユニットに固定されることを特徴とする請求項１に記載の安全性の高いレバー構造を有するリミットスイッチ。
【請求項６】
前記伝動装置は伝動セラミックスコラム（７）を含み、前記伝動セラミックスコラム（７）に円柱端（７１）、制限リング（７２）及び円錐端（７３）が設けられ、前記固定リード片（１）に伝動セラミックスコラム制限孔（１７）が設けられ、前記制限孔（１７）の直径が伝動セラミックスコラム（７）の円柱端（７１）の直径より大きく、且つ伝動セラミックスコラム（７）の制限リング（７２）の直径より小さく、前記可動リード片（２）に伝動セラミックスコラムホルダー（２５）が設けられ、前記伝動セラミックスコラムホルダー（２５）は、三面にノッチが切り欠いて一面が本体に接続された構造として設置され、前記伝動セラミックスコラムホルダー（２５）の中間に円形開口（２７）が設けられ、前記円形開口（２７）の直径が伝動セラミックスコラム（７）の円柱端（７１）の直径より小さく、前記伝動セラミックスコラム（７）の円柱端（７１）が伝動セラミックスコラム制限孔（１７）を貫通して、伝動セラミックスコラムホルダー（２５）を広げて円形開口（２７）に一方向に係止されることを特徴とする請求項１に記載の安全性の高いレバー構造を有するリミットスイッチ。
【請求項７】
前記絶縁ユニットは、第１セラミックリング（９）、第２セラミックリング（９０）及び第３セラミックリング（９１）を含み、前記第１セラミックリング（９）、第２セラミックリング（９０）及び第３セラミックリング（９１）はリベット固定ユニットによって接続して固定され、前記固定リード片（１）と接続端子（５０）はともに第１セラミックリング（９）と第２セラミックリング（９０）の間に固定され、前記固定ウエハ（８）は第２セラミックリング（９０）と第３セラミックリング（９１）の間に固定されることを特徴とする請求項１に記載の安全性の高いレバー構造を有するリミットスイッチ。
【請求項８】
前記リミットスイッチにさらに変位伝動鋼板（４０）が設けられ、前記変位伝動鋼板（４０）の一端は絶縁ユニットの底部に固定され、前記変位伝動鋼板（４０）の他端は伝動装置の伝動セラミックスコラム（７）の底部に当接されることを特徴とする請求項１に記載の安全性の高いレバー構造を有するリミットスイッチ。
【請求項９】
前記リベット固定ユニットは中空リベット（４）を含むことを特徴とする請求項１に記載の安全性の高いレバー構造を有するリミットスイッチ。
【発明の詳細な説明】
【技術分野】
【０００１】
本発明はリミットスイッチの技術分野、温度コントローラ、湿度コントローラの技術分野に関し、特に安全性の高いレバー構造を有するリミットスイッチである。
【背景技術】
【０００２】
リミットスイッチは、変位、移動、膨脹による拡大、縮小、ストロークコントロールに関する各種装置を自動的にオン・オフするものであり、現在、リミットスイッチは各種電気加熱装置、家電製品、キッチン用電気器具、電気圧力鍋などに幅広く使用されており、ストローク調整装置、伝動装置、レバー構造を有する電気接続スイッチユニット、絶縁ユニット及びリベット固定ユニットを備える。従来技術では、レバー構造を有する電気接続スイッチユニットは、接続端子、上リード片、可動リード片及び固定ウエハを含み、従来の可動リード片におけるドームとしてシングルエネルギー貯蔵リード片の構造が使用されているが、長期間使用すると、シングルエネルギー貯蔵リード片では、弾力が失われたり、又はドームが脱離したりすることが発生して、可動リード片における可動接点が固定ウエハにおける固定接点との切断動作を行うことができなくなり、それにより回路が接続を常に維持して、装置の破損を招く。
【発明の概要】
【発明が解決しようとする課題】
【０００３】
以上の問題に対して、本発明は、安全性の高いレバー構造を有するリミットスイッチを提供し、可動リード片の両側にそれぞれエネルギー貯蔵リード片が設けられ、エネルギー貯蔵リード片の端部にエネルギー貯蔵リード片の位置決め端が設けられ、固定リード片の両側にそれぞれエネルギー貯蔵リード片の位置決めフックが設けられ、エネルギー貯蔵リード片の位置決め端がエネルギー貯蔵リード片の位置決めフックに嵌合して設置されることにより、ダブルエネルギー貯蔵リード片の構造として構成されている。従来技術によるシングルエネルギー貯蔵リード片の構造に比べて、ドームの弾力を効果的に向上させて、エネルギー貯蔵リード片の弾力不足により可動接点と固定接点が切断できず、電源オフができないという深刻な結果を避ける。レバー構造を有する電気接続スイッチユニットでは、エネルギー貯蔵リード片の弾力不足により、可動接点と固定接点は、閉じられたときの接触が不良になり、絶えずに点火して焼損される結果、回路が不安定になったり、スイッチが作動できなかったりすることを防止する。エネルギー貯蔵リード片が脱離又は作動できないときに、ダブルエネルギー貯蔵リード片の構造を用いると、構造上の長所のため、可動接点と固定接点が常時にオフされて、電源が切られて、装置の安全性が向上する。
【課題を解決するための手段】
【０００４】
上記目的を達成させるために、本発明は下記技術案を採用する。
【０００５】
安全性の高いレバー構造を有するリミットスイッチであって、ストローク調整装置、伝動装置、レバー構造を有する電気接続スイッチユニット、絶縁ユニットおよびリベット固定ユニットが対応して接続されてなるリミットスイッチを含み、レバー構造を有する電気接続スイッチユニットはダブルエネルギー貯蔵リード片と固定ウエハからなり、ダブルエネルギー貯蔵リード片は固定リード片と可動リード片を含み、固定リード片と可動リード片の一端は間隔を空けて設置され、固定リード片と可動リード片の他端は固定して接続され、可動リード片の両側にそれぞれエネルギー貯蔵リード片が設けられ、エネルギー貯蔵リード片の一端は本体に接続され、エネルギー貯蔵リード片の他端には開放端部が設けられ、固定リード片の両側にそれぞれエネルギー貯蔵リード片の位置決めフックが設けられ、エネルギー貯蔵リード片の開放端部はエネルギー貯蔵リード片の位置決めフックに嵌合するように設置され、可動リード片に可動接点が設けられ、固定ウエハに固定接点が設けられ、固定リード片に可動接点位置決めブロックが設けられ、可動接点の上部は固定接点に対応して接続され、可動接点の下部は可動接点位置決めブロックに対応して設置される。
【０００６】
さらに、前記固定リード片に固定リード片溶接プラットフォームが設けられ、可動リード片に可動リード片溶接平面が設けられ、固定リード片溶接プラットフォームと可動リード片溶接平面は固定して溶接され、固定リード片溶接プラットフォームに第１位置決め孔が設けられ、可動リード片溶接平面に第２位置決め孔が設けられ、第１位置決め孔は第２位置決め孔に対応して設置される。
【０００７】
さらに、前記固定リード片の両側にそれぞれ第１リブが設けられ、固定リード片の末端に位置決め切り欠きが設けられ、可動リード片の両側にそれぞれ第２リブが設けられ、可動リード片の一端の端部に位置決め凸片が設けられ、可動リード片の位置決め凸片と固定リード片の位置決め切り欠きは対応して設置される。
【０００８】
さらに、前記固定リード片と固定ウエハはそれぞれリミットスイッチの絶縁ユニットに固定され、固定リード片の一端は、中空リベット固定孔が設けられ、且つ中空リベット固定孔により絶縁ユニットに固定され、且つ接続端子が接続され、接続端子は電源に外付けされ、中空リベット固定孔の周辺に複数の滑り止め突起点が均等に設けられる。
【０００９】
さらに、前記可動リード片に、リミットスイッチのストローク調整装置に対応して設置された位置決め柱固定凹部が設けられ、ストローク調整装置は、押え板、アジャストスクリュー及び位置決め柱を含み、位置決め柱の底部に、位置決め柱の固定凹部に嵌合して設けられる円錐形突起が設けられ、位置決め柱の頂部がアジャストスクリューの底部に当接され、アジャストスクリューが押え板の一端に螺合され、押え板の他端が絶縁ユニットに固定される。
【００１０】
さらに、前記伝動装置は伝動セラミックスコラムを含み、伝動セラミックスコラムに円柱端、制限リング及び円錐端が設けられ、固定リード片に伝動セラミックスコラム制限孔が設けられ、制限孔の直径が伝動セラミックスコラムの円柱端の直径より大きく、且つ伝動セラミックスコラムの制限リングの直径より小さく、可動リード片に伝動セラミックスコラムホルダーが設けられ、伝動セラミックスコラムホルダーは、三面にノッチが切り欠いて一面が本体に接続された構造として設置され、伝動セラミックスコラムホルダーの中間に円形開口が設けられ、円形開口の直径が伝動セラミックスコラムの円柱端の直径より小さく、伝動セラミックスコラムの円柱端が伝動セラミックスコラム制限孔を貫通して、伝動セラミックスコラムホルダーを広げて円形開口内に一方向に係止される。
【００１１】
さらに、前記絶縁ユニットは、第１セラミックリング、第２セラミックリング及び第３セラミックリングを含み、第１セラミックリング、第２セラミックリング及び第３セラミックリングは、リベット固定ユニットによって接続して固定され、固定リード片と接続端子はともに第１セラミックリングと第２セラミックリングの間に固定され、固定ウエハは第２セラミックリングと第３セラミックリングの間に固定される。
【００１２】
さらに、前記リミットスイッチにさらに変位伝動鋼板が設けられ、変位伝動鋼板の一端は絶縁ユニットの底部に固定され、変位伝動鋼板の他端は伝動装置の伝動セラミックスコラムの底部に当接される。
【００１３】
さらに、前記リベット固定ユニットは中空リベットを含む。
【発明の効果】
【００１４】
本発明の有益な効果は以下のとおりである。
１．可動リード片の両側にそれぞれエネルギー貯蔵リード片が設けられ、エネルギー貯蔵リード片の端部にエネルギー貯蔵リード片の位置決め端が設けられ、固定リード片の両側にそれぞれエネルギー貯蔵リード片の位置決めフックが設けられ、エネルギー貯蔵リード片の位置決め端がエネルギー貯蔵リード片の位置決めフックに嵌合するように設置され、ダブルエネルギー貯蔵リード片の構造として構成されることによって、従来技術によるシングルエネルギー貯蔵リード片の構造に比べて、ドームの弾力を効果的に向上させ、且つドームが弾力を失ったとき、このような構造では、可動接点と固定接点が遮断状態に保持され、エネルギー貯蔵リード片の弾力不足により可動接点と固定接点が切断できず、電源オフができないという深刻な結果を避ける。
２．レバー構造を有する電気接続スイッチユニットでは、エネルギー貯蔵リード片の弾力不足により、可動接点と固定接点は、閉じられたときの接触が不良になり、絶えずに点火して焼損される結果、回路が不安定になったり、スイッチが作動できなかったりすることを防止する。
３．エネルギー貯蔵リード片が脱離又は作動できないときに、ダブルエネルギー貯蔵リード片の構造を用いると、構造上の長所のため、可動接点と固定接点が常時に遮断されて、電源が切られて、装置の安全性が向上する。
【図面の簡単な説明】
【００１５】
【図１】本発明の全体構造模式図である。
【図２】本発明に係るレバー構造を有する電気接続スイッチユニットにおけるダブルエネルギー貯蔵リード片の模式図である。
【図３】本発明に係る固定リード片の模式図である。
【図４】本発明に係る可動リード片の模式図である。
【図５】本発明に係る伝動セラミックスコラムの模式図である。
【図６】本発明を備えるデュアルリミットスイッチの構造図である。
【図７】本発明を備えるデュアルリミットスイッチの斜視図である。
【発明を実施するための形態】
【００１６】
以下、図面を参照しながら、実施例にて本発明の技術案について説明する。
【００１７】
図１−図７に示されるように、本発明の前記安全性の高いレバー構造を有するリミットスイッチは、ストローク調整装置、伝動装置、レバー構造を有する電気接続スイッチユニット、絶縁ユニット及びリベット固定ユニットが対応して接続されてなるリミットスイッチを含み、レバー構造を有する電気接続スイッチユニットは、ダブルエネルギー貯蔵リード片と固定ウエハ８からなり、ダブルエネルギー貯蔵リード片は、固定リード片１と可動リード片２を含み、固定リード片１と可動リード片２の一端は間隔を空けて設置され、固定リード片１と可動リード片２の他端は固定して接続され、可動リード片２の両側にそれぞれエネルギー貯蔵リード片２２が設けられ、エネルギー貯蔵リード片２２の一端は本体に接続され、エネルギー貯蔵リード片２２の他端には開放端部が設けられ、固定リード片１の両側にそれぞれエネルギー貯蔵リード片の位置決めフック１２が設けられ、エネルギー貯蔵リード片２２の開放端部はエネルギー貯蔵リード片の位置決めフック１２に嵌合するように設置され、可動リード片２に可動接点２０が設けられ、固定ウエハ８に固定接点８０が設けられ、固定リード片１に可動接点位置決めブロック１５が設けられ、可動接点２０の上部は固定接点８０に対応して接続され、可動接点２０の下部は可動接点位置決めブロック１５に対応して設置される。以上は本発明の基本的な構造を構成する。
【００１８】
本発明は以下のような構造を採用する。可動リード片２の両側にそれぞれエネルギー貯蔵リード片２２が設けられ、エネルギー貯蔵リード片２２の一端は本体に接続され、他端には開放端部が設けられ、固定リード片１の両側にそれぞれエネルギー貯蔵リード片の位置決めフック１２が設けられ、エネルギー貯蔵リード片２２の開放端部はエネルギー貯蔵リード片の位置決めフック１２に嵌合するように設置され、このように、エネルギー貯蔵リード片２２に対して強制的な制限とエネルギー貯蔵を行う。エネルギー貯蔵リード片２２は、エネルギーを貯蔵した後に、可動接点２０と固定接点８０を押して切断又は接触させることで、回路のオン・オフを制御する目的を達成させるという役割を果たし、ダブルエネルギー貯蔵リード片の構造を用いることで、従来技術によるシングルエネルギー貯蔵リード片の構造に比べて、ドームの弾力を効果的に向上させ、且つドームが弾力を失ったとき、このような構造によれば、可動接点と固定接点を遮断状態に保持して、エネルギー貯蔵リード片の弾力不足により可動接点と固定接点が切断できず、電源オフができないような深刻な結果を避け、レバー構造を有する電気接続スイッチユニットでは、エネルギー貯蔵リード片の弾力不足により、可動接点と固定接点は、閉じられたときの接触が不良になり、絶えずに点火して焼損される結果、回路が不安定になったりスイッチが作動できなかったりすることを防止し、エネルギー貯蔵リード片が脱離又は作動できないときに、ダブルエネルギー貯蔵リード片の構造を用いると、構造上の長所のため、可動接点と固定接点が常時に遮断されて、電源が切られて、装置の安全性が向上する。可動接点位置決めブロック１５は、可動接点２０を制限して、具体的には、可動接点の運動距離を制限する役割を果たす。
【００１９】
より具体的には、前記固定リード片１に固定リード片溶接プラットフォーム１３が設けられ、可動リード片２に可動リード片溶接平面２３が設けられ、固定リード片溶接プラットフォーム１３と可動リード片溶接平面２３は固定して溶接され、固定リード片溶接プラットフォーム１３に第１位置決め孔１４が設けられ、可動リード片溶接平面２３に第２位置決め孔２４が設けられ、第１位置決め孔１４と第２位置決め孔２４は対応して設置される。このような構造を設置することにより、固定リード片１において可動リード片２と溶接するときに正確に位置決めして溶接して組み立てるという効果がある。
【００２０】
より具体的には、前記固定リード片１の両側にそれぞれ第１リブ１８が設けられ、固定リード片１の末端に位置決め切り欠き１１が設けられ、可動リード片２の両側にそれぞれ第２リブ２８が設けられ、可動リード片２の一端の端部に位置決め凸片２１が設けられ、可動リード片２の位置決め凸片２１は固定リード片１の位置決め切り欠き１１に対応して設置される。このような構造を設置することにより、固定リード片１と可動リード片２の剛性を効果的に高める役割を果たす。
【００２１】
より具体的には、前記固定リード片１と固定ウエハ８はそれぞれリミットスイッチの絶縁ユニットに固定され、固定リード片１の一端は、中空リベット固定孔１０が設けられ、且つ中空リベット固定孔１０により絶縁ユニットに固定され、且つ接続端子５０が接続され、接続端子５０は電源に外付けされ、中空リベット固定孔１０の周辺に複数の滑り止め突起点１６が均等に設けられる。このような構造を設置することにより、組み立てるときに摩擦力を高めることで、固定リード片１の変位を効果的に防止して、可動接点２０と固定接点８０が接続できなくなることを回避する。
【００２２】
より具体的には、前記可動リード片２にリミットスイッチのストローク調整装置に対応して設置された位置決め柱固定凹部２６が設けられ、ストローク調整装置は押え板３、アジャストスクリュー５及び位置決め柱６を含み、位置決め柱６の底部に、位置決め柱固定凹部２６に嵌合するように設けられる円錐形突起が設けられ、位置決め柱６の頂部がアジャストスクリュー５の底部に当接され、アジャストスクリュー５は押え板３の一端に螺合され、押え板３の他端は絶縁ユニットに固定される。このような構造を設置することにより、アジャストスクリュー５を回転して位置決め柱６を連動して上へ移動させ、それにより可動リード片２を制限（設定値に相当する）する。その作動原理は以下のとおりである。位置決め柱固定凹部２６をレバーの支点とし、可動リード片２の一端に力が印加された場合、レバー原理を利用して、エネルギー貯蔵リード片２２のエネルギー貯蔵弾力により可動リード片２の他端の可動接点２０と固定接点８０を分離させて、回路をオフさせ、位置決め柱６の底部に位置決め柱固定凹部２６に嵌合するように設けられる円錐形突起が設けられることにより、面の代わりに突起点の先端が位置決め柱６に接触してそれを位置決めする役割が果たされる。
【００２３】
より具体的には、前記伝動装置は、伝動セラミックスコラム７を含み、伝動セラミックスコラム７に円柱端７１、制限リング７２及び円錐端７３が設けられ、固定リード片１に伝動セラミックスコラム制限孔１７が設けられ、制限孔１７の直径は伝動セラミックスコラムの円柱端７１の直径より大きく、且つ伝動セラミックスコラム７の制限リング７２の直径より小さく、可動リード片２に伝動セラミックスコラムホルダー２５が設けられ、前記伝動セラミックスコラムホルダー２５は、三面にノッチが切り欠いて一面が本体に接続された構造として設置され、セラミックスコラムホルダー２５の中間に円形開口２７が設けられ、円形開口２７の直径が伝動セラミックスコラム７の円柱端７１の直径より小さく、伝動セラミックスコラム７の円柱端７１が伝動セラミックスコラム制限孔１７を貫通して、伝動セラミックスコラムホルダー２５を広げて円形開口２７内に一方向に係止される。このような構造を設置することにより、固定リード片１における伝動セラミックスコラム制限孔１７及び可動リード片２における伝動セラミックスコラムホルダー２５の相互作用下で、伝動セラミックスコラム７を制限して固定し、従来のセラミックスコラムの代わりに作用する目的を達成させる。その作動原理は以下のとおりである。伝動セラミックスコラム７の円錐端７３の円錐トップが変位伝動鋼板４０の平面上を摺動し、このような構造を設置することにより、装置の変位変化が変位伝動鋼板４０と伝動セラミックスコラム７に伝達されて、固定リード片１と可動リード片２を上へ突き上げ又は下へ回復させ、ストローク調整装置内における位置決め柱６が可動リード片２の位置決め柱固定凹部２６に当接されて、位置決め柱固定凹部２６を支点としてレバー作用を果たし、このように、レバー構造を有する電気接続スイッチユニットによるオン・オフ動作を実行させる。
【００２４】
より具体的には、前記絶縁ユニットは、第１セラミックリング９、第２セラミックリング９０及び第３セラミックリング９１を含み、第１セラミックリング９、第２セラミックリング９０及び第３セラミックリング９１は、リベット固定ユニットによって接続して固定され、固定リード片１と接続端子５０はともに第１セラミックリング９と第２セラミックリング９０の間に固定され、固定ウエハ８は第２セラミックリング９０と第３セラミックリング９１の間に固定される。このような構造を設置することにより、リベット固定ユニットで第１セラミックリング９、第２セラミックリング９０及び第３セラミックリング９１を接続して固定し、固定リード片１と固定ウエハ８を間隔的に設置することで、可動接点２０と固定接点８０を対応して接続させる。
【００２５】
より具体的には、前記リミットスイッチにさらに変位伝動鋼板４０が設けられ、変位伝動鋼板４０の一端は絶縁ユニットの底部に固定され、変位伝動鋼板４０の他端は伝動装置の伝動セラミックスコラム７の底部に当接される。このような構造を設置することにより、変位伝動鋼板４０が当接されて押されると、伝動セラミックスコラム７を連動して上へ動作させ、それによりダブルエネルギー貯蔵リード片を作動させて、回路をオフさせる。
【００２６】
より具体的には、前記リベット固定ユニットは中空リベット４を含む。
【００２７】
リミットスイッチ又は温度コントローラの１つの部材としての本発明の作動原理は以下のとおりである。装置は、作動するとき、最低設定変位量になると、変位伝動鋼板４０と伝動セラミックスコラム７に当接してこれらを押し、ダブルエネルギー貯蔵リード片を連動して上へ動作させ、可動リード片２は、ストローク調整装置の位置決め柱６のレバー支点により位置決めされて、レバー作用を起動させ、エネルギー貯蔵弾力により可動接点２０と固定接点８０を分離させ、それにより回路をオフさせて作動を停止する。変位が初期状態に回復すると、回路は再びオンになる。このように、装置を効果的に制御する作用を果たし、ダブルエネルギー貯蔵リード片の構造を用いた本発明は、従来技術によるシングルエネルギー貯蔵リード片の構造に比べて、ドームの弾力を効果的に向上させ、且つドームが弾力を失ったとき、このような構造によれば、可動接点と固定接点を遮断状態に保持して、エネルギー貯蔵リード片の弾力不足により可動接点と固定接点が切断できず、電源オフができないような深刻な結果を避け、レバー構造を有する電気接続スイッチユニットでは、エネルギー貯蔵リード片の弾力不足により可動接点と固定接点は、閉じられたときの接触が不良になり、絶えずに点火して焼損される結果、回路が不安定になったりスイッチが作動できなかったりすることを防止する。エネルギー貯蔵リード片が脱離又は作動できない場合、ダブルエネルギー貯蔵リード片の構造を用いると、構造上の長所のため、可動接点と固定接点が常時に遮断されて、電源が切られて、装置の安全性が向上する。
【００２８】
以上は、図面を参照しながら、本発明の実施例について説明したが、本発明は上記実施形態に制限されず、上記実施形態は例示的なものに過ぎず、制限するものではなく、当業者であれば、本発明に基づいて、本発明の趣旨と特許請求の範囲の保護範囲を逸脱することなく、多数の別の形態を想到し得、これらはすべて本発明の保護範囲に属する。
【符号の説明】
【００２９】
１．固定リード片；１０．中空リベット固定孔；１１．位置決め切り欠き；１２．エネルギー貯蔵リード片の位置決めフック；１３．固定リード片溶接プラットフォーム；１４．第１位置決め孔；１５．可動接点位置決めブロック；１６．滑り止め突起点；１７．伝動セラミックスコラム制限孔；１８．第１リブ；２．可動リード片；２０．可動接点；２１．位置決め凸片；２２．エネルギー貯蔵リード片；２３．可動リード片溶接平面；２４．第２位置決め孔；２５．伝動セラミックスコラムホルダー；２６．位置決め柱固定凹部；２７．円形開口；２８．第２リブ；３．押え板；４．中空リベット；４０．変位伝動鋼板；５．アジャストスクリュー；５０．接続端子；６．位置決め柱；７．伝動セラミックスコラム；７１．円柱端；７２．制限リング；７３．円錐端；８．固定ウエハ；８０．固定接点；９．第１セラミックリング；９０．第２セラミックリング；９１．第３セラミックリング。
【図１】
2019192627.tif 000003
【図２】
2019192627.tif 000004
【図３】
2019192627.tif 000005
【図４】
2019192627.tif 000006
【図５】
2019192627.tif 000007
【図６】
2019192627.tif 000008
【図７】
2019192627.tif 000009
【外国語明細書】
2019192627000001.pdf